(57)【要約】      （修正有）【課題】一次側のスイッチ素子の休止期間での電圧が安定し、アブノーマル動作時でも磁束のアンバランスは発生しにくいスイッチング電源装置を提供する。【解決手段】フルブリッジ型のブリッジ回路の出力端子に、一次・二次間を絶縁する出力トランスＴ１の一次巻線Ｎ１１を接続し、出力トランスを介して負荷へ電力を供給するスイッチング電源装置であって、該出力トランスは少なくとも二つのコア１０，２０を備え、二つのコアは四つの磁脚を並列に設け、該コアの中央の磁脚１２，１３，２２，２３は両端の磁脚１１，１４，２１，２４より短く、二つのコアを衝合させた際に磁脚を有するコアの中央の磁脚にギャップができるように構成し、中央二本の磁脚に跨って一次巻線を巻回し、両端の磁脚に二つの二次巻線Ｎ２１，Ｎ２２をそれぞれ巻回してあるとともに、該ブリッジ回路を構成するスイッチ素子Ｑ１〜Ｑ４を位相シフト制御するようにしてあることを特徴とする。【選択図】  図１
2008160948.tif 000002
【特許請求の範囲】
【請求項１】
直流電源にフルブリッジ型のブリッジ回路を接続し、このブリッジ回路の出力端子に、一次・二次間を絶縁する出力トランスの一次巻線を接続し、この出力トランスを介して負荷へ電力を供給するスイッチング電源装置であって、前記出力トランスは少なくとも二つのコアを備えてあり、少なくとも一つのコアはそれぞれ三つ又は四つの磁脚を並列に設けてあり、前記コアの中央の磁脚は両端の磁脚より短く、二つのコアを衝合させた際に磁脚を有するコアの中央の磁脚にギャップができるように構成してあり、一本の磁脚若しくは二本の磁脚に跨って一次巻線と二つの二次巻線をそれぞれ巻回してあるとともに、前記ブリッジ回路を構成するスイッチ素子を位相シフト制御するように構成してあることを特徴とする請求項１記載のスイッチング電源装置。
【請求項２】
前記ブリッジ回路の出力端子の一端と前記一次巻線との間、若しくは前記一次巻線中にコンデンサを接続してあることを特徴とする請求項１記載のスイッチング電源装置。
【請求項３】
前記出力トランスは二つのコアを備えてあり、これらコアはそれぞれ四つの磁脚を並列に設けてあり、前記コアの中央二本の磁脚は両端の磁脚より短く、二つのコアの両端の磁脚同士を衝合させた際に中央二本の磁脚間にギャップができるように構成してあることを特徴とする請求項１又は２記載のスイッチング電源装置。
【請求項４】
前記二つのコアのうち、一方のコアの中央二本の磁脚に跨って一次巻線を巻回し、他方のコアの中央一方の磁脚に第一の二次巻線を巻回し、他方のコアの中央他方の磁脚に第二の二次巻線を巻回してあることを特徴とする請求項３記載のスイッチング電源装置。
【請求項５】
前記二つのコアのうち、一方のコアの中央それぞれの磁脚に一次巻線を巻回し、これらを接続してあるとともに、他方のコアの中央一方の磁脚に第一の二次巻線を巻回し、他方のコアの中央他方の磁脚に第二の二次巻線を巻回してあることを特徴とする請求項３記載のスイッチング電源装置。
【請求項６】
前記出力トランスは二つのコアを備えてあり、一方のコアは一本の磁脚のみで構成してあるのに対し、他方のコアは三つの磁脚を並列に設けてあり、他方のコアの中央の磁脚は両端の磁脚より短く、他方のコアの両端の磁脚を一方のコアに衝合させた際に他方のコアの中央の磁脚と一方のコアとの間にギャップができるように構成してあることを特徴とする請求項１又は２記載のスイッチング電源装置。
【請求項７】
前記他方のコアの中央の磁脚に一次巻線を巻回し、他方のコアの両端にそれぞれ第一の二次巻線と第二の二次巻線を巻回してあることを特徴とする請求項６記載のスイッチング電源装置。
【請求項８】
前記出力トランスは三つのコアを備えてあり、第一のコアは一本の磁脚のみで構成してあるのに対し、第二並びに第三のコアは三つの磁脚を並列に設けてあり、第二並びに第三のコアの中央の磁脚は両端の磁脚より短く、第二並びに第三のコアの両端の磁脚を第一のコアに衝合させた際に第二並びに第三のコアの中央の磁脚と第一のコアとの間にギャップができるように構成してあることを特徴とする請求項１又は２記載のスイッチング電源装置。
【請求項９】
前記第二並びに第三のコアの中央の磁脚にそれぞれ一次巻線を巻回して接続し、前記第二並びに第三のコアの中央の磁脚にそれぞれ第一の二次巻線と第二の二次巻線を巻回してあることを特徴とする請求項８記載のスイッチング電源装置。
【請求項１０】
前記第一のコアに二つの一次巻線を巻回して接続し、前記第一のコアにそれぞれ第一の二次巻線と第二の二次巻線を巻回してあることを特徴とする請求項８記載のスイッチング電源装置。
【発明の詳細な説明】
【技術分野】
【０００１】
本発明は、高効率化、小型化、並びに低コスト化を実現するスイッチング電源装置に関するものである。
【背景技術】
【０００２】
弊社では以前、図９に示すように、直流電源Ｖ１に四つのスイッチ素子Ｑ１〜Ｑ４を備えたブリッジ回路を接続し、このブリッジ回路の出力端子に、一次・二次間を絶縁する出力トランスＴ１の一次巻線Ｎ１１を接続してある。出力トランスＴ１の二次巻線は二つのスイッチ素子Ｑ５，Ｑ６を備えた出力回路を介して負荷へ電力を供給するスイッチング電源装置を特許出願している（特許文献１参照）。
【特許文献１】特開２００３−１８９６２２号公報
【０００３】
図９に示すスイッチング電源装置に係る出力トランスＴ１は、二つのコア１０，２０を備えてある。これらコア１０，２０はそれぞれ四つの磁脚１１〜１４，２１〜２４を並列に設けてある。コア１０，２０の中央の磁脚１２，１３，２２，２３は両端の磁脚１１，１４，２１，２４より短く、二つのコア１０，２０を衝合させた際にコア１０，２０の中央の磁脚１２，１３，２２，２３にギャップができるように構成してある。二つのコア１０，２０のうち、一方のコア１０の中央二本１２，１３の磁脚に跨って一次巻線Ｎ１１を巻回してある。他方のコア２０の中央一方の磁脚２２に第一の二次巻線Ｎ２１を巻回し、他方のコア２０の中央他方の磁脚２３に第二の二次巻線Ｎ２２を巻回してある。第一の二次巻線Ｎ２１には第一の整流スイッチ素子Ｑ５を、第二の二次巻線Ｎ２２には第二の整流スイッチ素子Ｑ６をそれぞれ接続してある。
【発明の開示】
【発明が解決しようとする課題】
【０００４】
しかし、このスイッチング電源装置における制御方法では、図１０に示すように、一次側のスイッチ素子Ｑ１〜Ｑ４の休止期間ｔ１，ｔ２がハイインピーダンスの状態で一次側のスイッチ素子Ｑ１〜Ｑ４のその期間での電圧が非常に不安定な状態になる。また、入出力の急変動及びその他アブノーマルな動作字にハイ又はローなどに電位が偏ると出力トランスに磁束のアンバランスが発生し、コアの片側半分に磁束が集中し、最悪スイッチ素子Ｑ１〜Ｑ４を破壊する恐れがある。特にトランスとチョークの一体型で二次側の巻線を別々の磁脚に巻いている場合、対称性を崩しやすいという問題もある。
【０００５】
本発明は、上記問題に鑑みてなされたものであり、一次側のスイッチ素子の休止期間での電圧が安定し、アブノーマル動作時でも磁束のアンバランスは発生しにくいスイッチング電源装置を提供する。
【課題を解決するための手段】
【０００６】
上記課題を解決するため、本発明のスイッチング電源装置は、直流電源にフルブリッジ型のブリッジ回路を接続し、このブリッジ回路の出力端子に、一次・二次間を絶縁する出力トランスの一次巻線を接続し、この出力トランスを介して負荷へ電力を供給するスイッチング電源装置であって、前記出力トランスは少なくとも二つのコアを備えてあり、少なくとも一つのコアはそれぞれ三つ又は四つの磁脚を並列に設けてあり、前記コアの中央の磁脚は両端の磁脚より短く、二つのコアを衝合させた際に磁脚を有するコアの中央の磁脚にギャップができるように構成してあり、一本の磁脚若しくは二本の磁脚に跨って一次巻線と二つの二次巻線をそれぞれ巻回してあるとともに、前記ブリッジ回路を構成するスイッチ素子を位相シフト制御するように構成してあることを特徴とする。
前記ブリッジ回路の出力端子の一端と前記一次巻線との間、若しくは前記一次巻線中にコンデンサを接続してあることを特徴とする。
【０００７】
前記出力トランスは二つのコアを備えてあり、これらコアはそれぞれ四つの磁脚を並列に設けてあり、前記コアの中央二本の磁脚は両端の磁脚より短く、二つのコアの両端の磁脚同士を衝合させた際に中央二本の磁脚間にギャップができるように構成してあることを特徴とする
【０００８】
また、前記二つのコアのうち、一方のコアの中央二本の磁脚に跨って一次巻線を巻回し、他方のコアの中央一方の磁脚に第一の二次巻線を巻回し、他方のコアの中央他方の磁脚に第二の二次巻線を巻回してあることを特徴とする。
若しくは、前記二つのコアのうち、一方のコアの中央それぞれの磁脚に一次巻線を巻回し、これらを接続してあるとともに、他方のコアの中央一方の磁脚に第一の二次巻線を巻回し、他方のコアの中央他方の磁脚に第二の二次巻線を巻回してあることを特徴とする。
【０００９】
前記出力トランスは二つのコアを備えてあり、一方のコアは一本の磁脚のみで構成してあるのに対し、他方のコアは三つの磁脚を並列に設けてあり、他方のコアの中央の磁脚は両端の磁脚より短く、他方のコアの両端の磁脚を一方のコアに衝合させた際に他方のコアの中央の磁脚と一方のコアとの間にギャップができるように構成してあることを特徴とする。
また、前記他方のコアの中央の磁脚に一次巻線を巻回し、他方のコアの両端にそれぞれ第一の二次巻線と第二の二次巻線を巻回してあることを特徴とする。
【００１０】
前記出力トランスは三つのコアを備えてあり、第一のコアは一本の磁脚のみで構成してあるのに対し、第二並びに第三のコアは三つの磁脚を並列に設けてあり、第二並びに第三のコアの中央の磁脚は両端の磁脚より短く、第二並びに第三のコアの両端の磁脚を第一のコアに衝合させた際に第二並びに第三のコアの中央の磁脚と第一のコアとの間にギャップができるように構成してあることを特徴とする。
また、前記第二並びに第三のコアの中央の磁脚にそれぞれ一次巻線を巻回して接続し、第二並びに第三のコアの中央の磁脚にそれぞれ第一の二次巻線と第二の二次巻線を巻回してあることを特徴とする。
又は、前記第一のコアに二つの一次巻線を巻回して接続し、前記第一のコアにそれぞれ第一の二次巻線と第二の二次巻線を巻回してあることを特徴とする。
【発明の効果】
【００１１】
本発明によれば、位相シフト制御することにより、一次側のスイッチ素子の休止期間はローインピーダンスの状態となり、一次側のスイッチ素子の休止期間での電圧は非常に安定する。そのため、アブノーマル動作時でも磁束のアンバランスは発生しにくく、トランスとチョークの一体型で二次巻線を別々の磁脚に巻いても動作の対称性が保たれる。また、ブリッジ回路の出力端子の一端と一次巻線との間、若しくは一次巻線中にコンデンサを接続することにより偏励磁を防止することができる。
【発明を実施するための最良の形態】
【００１２】
図１は本発明を実施するための最良の形態を示すものである。本実施例に係るスイッチング電源装置は、直流電源Ｖ１に４つのスイッチ素子Ｑ１〜Ｑ４を有するフルブリッジ型のブリッジ回路を接続し、このブリッジ回路の出力端子の一端に偏励磁防止用のコンデンサＣ１を接続し、このコンデンサＣ１と前記ブリッジ回路の出力端子の他端に、一次・二次間を絶縁する出力トランスＴ１の一次巻線Ｎ１１を接続して、フルブリッジ型のスイッチング回路を構成してある。
【００１３】
本実施例に係るスイッチング電源装置を構成する出力トランスＴ１は、二つのコア１０，２０を備えてある。これらコア１０，２０はそれぞれ四つの磁脚１１〜１４，２１〜２４を並列に設けてある。中央二つの磁脚１２，１３，２２，２３が両端二つの磁脚１１，１４，２１，２４より短く構成してある。二つのコア１０，２０の両端の磁脚同士を衝合させた際に中央二本の磁脚１２，２２，１３，２３間にギャップができるように構成してある。一方のコア１０の中央二本の磁脚１２，１３に跨って一次巻線Ｎ１１を巻回し、他方のコア２０の中央一方の磁脚２２に第一の二次巻線Ｎ２１を巻回し、他方のコア２０の中央他方の磁脚２３に第二の二次巻線Ｎ２２を巻回してある。以上のような構成より、特に、二つのコア１０，２０の両端の磁脚同士を衝合させた際に中央二本の磁脚１２，２２，１３，２３間にギャップができるように構成したことにより、この実施例に係る出力トランスＴ１は図２図示の等価回路に示すように、トランスとチョークとが一体型のものとなる。
【００１４】
二つの二次巻線Ｎ２１，Ｎ２２はそれぞれスイッチ素子Ｑ５，Ｑ６に接続し、平滑コンデンサＣ２とともに負荷に接続して出力回路を構成し、電源から出力トランスＴ１を介して負荷へ電力を供給するように構成してある。
【００１５】
フルブリッジ型のスイッチング回路を構成するスイッチ素子Ｑ１〜Ｑ４の制御端子には制御回路（図示しない）を接続してあり、この制御回路を用いて位相シフト制御するように構成してある。具体的には以下のように制御する。
【００１６】
フルブリッジ型のスイッチング回路を構成する４つのスイッチ素子Ｑ１〜Ｑ４の一方のアームの高位側スイッチ素子Ｑ１と他方のアームの高位側スイッチ素子Ｑ３の位相が出力電圧に応じて制御され、これにより、一方のアームの高位側スイッチ素子Ｑ１と他方のアームの低位側スイッチ素子Ｑ４が同時にオン状態となる期間、並びに、一方のアームの低位側スイッチ素子Ｑ２と他方のアームの高位側スイッチ素子Ｑ３が同時にオン状態となる期間が出力電圧に応じて調整される。ここで、スイッチング回路から出力回路に伝送される電力は、一方のアームの高位側スイッチ素子Ｑ１と他方のアームの低位側スイッチ素子Ｑ４が同時にオン状態となる期間、並びに、一方のアームの低位側スイッチ素子Ｑ２と他方のアームの高位側スイッチ素子Ｑ３が同時にオン状態となる期間によって決まることから、上記位相を制御することにより、出力電圧を所望の値に安定させることが可能となる。
【００１７】
以上のように構成してあるスイッチング電源装置は、以下のように動作する。回路動作を図３に示し、これを用いて説明する。先ず、図３に示す時間ｔ１になる前に、他方のアームの低位側スイッチ素子Ｑ４がオンする。その後一方のアームの高位側スイッチ素子Ｑ１がオンする。これにより、直流電源Ｖ１から流れる電流は、一方のアームの高位側スイッチ素子Ｑ１、コンデンサＣ１、一次巻線Ｎ１１、他方のアームの低位側スイッチ素子Ｑ４を介して一次側流れるとともに、出力トランスＴ１の第一の二次巻線Ｎ２１を介して、第一の整流スイッチ素子Ｑ５経由で負荷へ電力が供給される。
【００１８】
続いて、時間ｔ１になると、一方のアームの高位側スイッチ素子Ｑ１がオフすると同時に一方のアームの低位側スイッチ素子Ｑ２がオンする。これにより、他方のアームの低位側スイッチ素子Ｑ４から一方のアームの低位側スイッチ素子Ｑ２を介して、コンデンサＣ１並びに一次巻線Ｎ１１に電流が流れる。これとともに、出力トランスＴ１の第一の二次巻線Ｎ２１を介して、第一の整流スイッチ素子Ｑ５経由で負荷へ電力が供給される。
【００１９】
続いて、図３に示す時間ｔ１と時間ｔ２との間では、一方のアームの低位側スイッチ素子Ｑ２はオンの状態で、他方のアームの低位側Ｑ４がオフすると同時に他方のアームの高位側スイッチ素子Ｑ３がオンする。これにより、直流電源Ｖ１から流れる電流は、他方のアームの高位側スイッチ素子Ｑ３、一次巻線Ｎ１１、コンデンサＣ１、一方のアームの低位側スイッチ素子Ｑ２を介して一次側流れるとともに、出力トランスＴ１の第一の二次巻線Ｎ２２を介して、第一の整流スイッチ素子Ｑ６経由で負荷へ電力が供給される。
【００２０】
続いて、時間ｔ２になると、他方のアームの高位側スイッチ素子Ｑ３がオフすると同時に他方のアームの低位側スイッチ素子Ｑ４がオンする。これにより、一方のアームの低位側スイッチ素子Ｑ２から、他方のアームの低位側スイッチ素子Ｑ４を介して、一次巻線Ｎ１１並びにコンデンサＣ１に電流が流れる。これとともに、出力トランスＴ１の第一の二次巻線Ｎ２２を介して、第一の整流スイッチ素子Ｑ６経由で負荷へ電力が供給される。
【００２１】
本実施形態に係るスイッチング電源装置は、以上のような作用により一次側のスイッチ素子の休止期間はローインピーダンスの状態となり、一次側のスイッチ素子の休止期間での電圧は非常に安定する。そのため、アブノーマル動作時でも磁束のアンバランスは発生しにくく、トランスとチョークの一体型で二次巻線を別々の磁脚に巻いても動作の対称性が保たれる。また、ブリッジ回路の出力端子の一端と一次巻線との間、若しくは一次巻線中にコンデンサを接続することにより偏励磁を防止され、前記作用を維持することができる。
【００２２】
続いて、図４に示す第二の実施例について説明する。この実施例は、基本的な回路構成は前記実施例とほぼ同様である。但し、図１図示の第一の実施例は、偏励磁防止用のコンデンサＣ１を、フルブリッジ型のブリッジ回路と出力トランスＴ１の一次巻線Ｎ１１との間に接続してあるのに対し、図４図示の第二の実施例は、偏励磁防止用のコンデンサＣ１を、一次巻線Ｎ１１中に接続してある点で異なる。なお、この実施例の作用は前記実施例とほぼ同様であるため、割愛する。
【００２３】
図５には第三の実施例を示す。この実施例においても、コア１０，２０の構成は前記実施例とほぼ同様である。但し、一次巻線の巻き方が以下の通りに前記実施例と異なる。一次巻線は前記実施例と同様に一方のコアの中央に巻回する。これに対し、本実施例においては、一方のアームに設けた出力端子に中央一方の磁束１２に巻回した第一の一次巻線Ｎ１１の一端を接続してある。また、他方のアームに設けた出力端子に中央他方の磁束１３に巻回した第二の一次巻線Ｎ１２の一端を接続してある。二つの一次巻線Ｎ１１，Ｎ１２のそれぞれ他端を偏励磁防止用のコンデンサＣ１を介して接続してある。なお、作用は前記実施例とほぼ同様であるため、割愛する。
【００２４】
図６には第四の実施例を示す。この実施例に係る出力トランスＴ１は二つのコア３０，４０を備えてあり、一方のコア３０は三つの磁脚３１，３２，３３を並列に設けてあるのに対し、他方のコア４０は一本の磁脚のみで構成してある。一方のコア３０の中央の磁脚３２は両端の磁脚より短く、一方のコア３０の両端の磁脚を他方のコア４０に衝合させた際に一方のコア３０の中央の磁脚３２と他方のコア４０との間にギャップができるように構成してある。
【００２５】
続いて、この実施例に係る出力トランスＴ１に対する巻線の巻き方について説明する。この実施例では、コア３０の中央の磁脚３２に一次巻線Ｎ１１を巻回している。この一次巻線Ｎ１１の一端は偏励磁防止用のコンデンサＣ１を介して一方のアームの出力端子に接続し、一次巻線Ｎ１１の他端は他方のアームの出力端子に接続してある。一方のコア３０の一方端の磁脚３１に第一の二次巻線Ｎ２１を巻回し、コア３０の他方端の磁脚３３に第二の二次巻線Ｎ２２を巻回してある。なお、作用は前記実施例とほぼ同様であるため、割愛する。
【００２６】
図７には第五の実施例を示す。この実施例に係る出力トランスＴ１は三つのコア３０，４０，５０を備えてあり、第一並びに第三のコア３０，５０は三つの磁脚３１〜３３，５１〜５３を並列に設けてあるのに対し、第二のコア４０は一本の磁脚のみで構成してある。第一並びに第三のコア３０，５０の中央の磁脚３２，５２は両端の磁脚より短く、第一並びに第三のコア３０，５０の両端の磁脚を第二のコア４０に衝合させた際に第一並びに第三のコア３０，５０の中央の磁脚３２，５２と第二のコア４０との間にギャップができるように構成してある。
【００２７】
続いて、この実施例に係る出力トランスＴ１に対する巻線の巻き方について説明する。この実施例では、第一の一次巻線Ｎ１１を第一のコア３０の中央の磁脚３２に巻回し、第二の一次巻線Ｎ１２を第三のコア５０の中央の磁脚５２に巻回している。一方のアームに設けた出力端子に第一のコア３０の中央の磁脚３２に巻回した第一の一次巻線Ｎ１１の一端を接続してある。また、他方のアームに設けた出力端子に第三のコア５０の中央の磁脚５２に巻回した第二の一次巻線Ｎ１２の一端を接続してある。二つの一次巻線Ｎ１１，Ｎ１２のそれぞれ他端を偏励磁防止用のコンデンサＣ１を介して接続してある。第三のコア５０の中央の磁脚５２に第一の二次巻線Ｎ２１を巻回し、第一のコア３０の中央の磁脚３２に第二の二次巻線Ｎ２２を巻回してある。なお、作用は前記実施例とほぼ同様であるため、割愛する。
【００２８】
図８には第六の実施例を示す。この実施例に係る出力トランスＴ１は三つのコア３０，４０，５０を備えてあり、第一並びに第三のコア３０，５０は三つの磁脚３１〜３３，５１〜５３を並列に設けてあるのに対し、第二のコア４０は一本の磁脚のみで構成してある。第一並びに第三のコア３０，５０の中央の磁脚３２，５２は両端の磁脚より短く、第一並びに第三のコア３０，５０の両端の磁脚を第二のコア４０に衝合させた際に第一並びに第三のコア３０，５０の中央の磁脚３２，５２と第二のコア４０との間にギャップができるように構成してある。
【００２９】
続いて、この実施例に係る出力トランスＴ１に対する巻線の巻き方について説明する。この実施例では、第一の一次巻線Ｎ１１を第二のコア４０に巻回し、第二の一次巻線Ｎ１２を第二のコア４０に巻回している。一方のアームに設けた出力端子に第二のコア４０に巻回した第一の一次巻線Ｎ１１の一端を接続してある。また、他方のアームに設けた出力端子に第二のコア４０に巻回した第二の一次巻線Ｎ１２の一端を接続してある。二つの一次巻線Ｎ１１，Ｎ１２のそれぞれ他端を偏励磁防止用のコンデンサＣ１を介して接続してある。第二のコア４０に第一の二次巻線Ｎ２１を巻回し、第二のコア４０に第二の二次巻線Ｎ２２を巻回してある。なお、作用は前記実施例とほぼ同様であるため、割愛する。
【００３０】
なお、前記第一乃至第六の実施例は本発明の一例に過ぎない。本発明は、少なくとも二つのコアを備えた出力トランスを設けてあり、少なくともの一つのコアはそれぞれ三つ又は四つの磁脚を並列に設けてあり、コアの中央の磁脚は両端の磁脚より短く、二つのコアを衝合させた際に磁脚を有するコアの中央の磁脚にギャップができるように構成してあること、また、一本の磁脚若しくは二本の磁脚に跨って一次巻線及び二つの二次巻線をそれぞれ巻回してあること、さらに、ブリッジ回路を構成するスイッチ素子を位相シフト制御するように構成してあれば、前記実施例に限定されない。
【産業上の利用可能性】
【００３１】
本発明によれば、位相シフト制御することにより、一次側のスイッチ素子の休止期間はローインピーダンスの状態となり、一次側のスイッチ素子の休止期間での電圧は非常に安定する。そのため、アブノーマル動作時でも磁束のアンバランスは発生しにくく、トランスとチョークの一体型で二次巻線を別々の磁脚に巻いても動作の対称性が保たれる。また、ブリッジ回路の出力端子の一端と一次巻線との間、若しくは一次巻線中にコンデンサを接続することにより偏励磁を防止することができ、産業上利用可能である。
【図面の簡単な説明】
【００３２】
【図１】本発明に係るスイッチング電源装置の最良の実施形態の回路構成図である。
【図２】図１図示実施例の等価回路図である。
【図３】図１図示実施例における動作波形図である。
【図４】図１図示実施例と異なる第二実施例の回路構成図である。
【図５】前記実施例と異なる第三実施例の回路構成図である。
【図６】前記実施例と異なる第四実施例の回路構成図である。
【図７】前記実施例と異なる第五実施例の回路構成図である。
【図８】前記実施例と異なる第六実施例の回路構成図である。
【図９】従来のスイッチング電源装置の回路構成図である。
【図１０】図９図示従来例における動作波形図である。
【符号の説明】
【００３３】
Ｖ１  直流電源
Ｔ１  出力トランス
Ｑ１〜Ｑ６  スイッチ素子
１０，２０，３０，４０，５０  コア
１１〜１４，２１〜２４，３１〜３３，５１〜５３  磁脚
Ｃ１  偏励磁防止用のコンデンサ
Ｃ２  平滑コンデンサ
Ｎ１１，Ｎ１２  一次巻線
Ｎ２１，Ｎ２２  二次巻線
【図１】
2008160948.tif 000003
【図２】
2008160948.tif 000004
【図３】
2008160948.tif 000005
【図４】
2008160948.tif 000006
【図５】
2008160948.tif 000007
【図６】
2008160948.tif 000008
【図７】
2008160948.tif 000009
【図８】
2008160948.tif 000010
【図９】
2008160948.tif 000011
【図１０】
2008160948.tif 000012